(57)【要約】【課題】消防用ホースを破損させることなく接続部分の近傍のホース部分で管路を密閉する加圧検査装置を提供することを目的とする。【解決手段】加圧水を用いてホース２１の加圧検査を行うための加圧検査装置１であって、膨張部材１１で覆われる膨張室１６が端部１８に設けられて前記膨張室１６と連通する挿入管１７と、前記挿入管１７と一体的に設けられ、前記挿入管１７に加圧水を供給する第１給水ポートＰＴ１と前記ホース２１に加圧水を供給する第２給水ポートＰＴ２とが設けられた給水部４と、前記ホース２１に前記挿入管１７の前記膨張室１６を含む部分を挿入した状態で前記ホース２１に取り付けた結合金具５に結合するための、前記給水部４と一体的に設けられた結合部３と、を有してなる。【選択図】      図１
2004163298.tif 000002
【特許請求の範囲】
【請求項１】
加圧水を用いてホースの加圧検査を行うための加圧検査装置であって、
膨張部材で覆われる膨張室が端部に設けられて前記膨張室と連通する挿入管と、
前記挿入管と一体的に設けられ、前記挿入管に加圧水を供給する第１給水ポートと前記ホースに加圧水を供給する第２給水ポートとが設けられた給水部と、
前記ホースに前記挿入管の前記膨張室を含む部分を挿入した状態で前記ホースに取り付けた結合金具に結合するための、前記給水部と一体的に設けられた結合部と、
を有することを特徴とするホースの加圧検査装置。
【請求項２】
前記ホースの外径を略内径とし前記ホースの外周を覆う保護帯を有する、
請求項１に記載のホースの加圧検査装置。
【発明の詳細な説明】
【０００１】
【発明の属する技術分野】
本発明は、消防ホースなど各種ホースの加圧検査を行うための加圧検査装置に関する。
【０００２】
【従来の技術】
もし火災が発生した場合には、近くにある消防ホースを消火栓等に接続して消火作業を迅速に行う必要がある。一般に、消防ホースのホースの部分にはテトロン等の合成繊維材料が用いられるが、使用によって、または使用しなくても経年変化により劣化するので、緊急の使用時にホースから水が漏れて消化作業に手間取るということがないように管理を十分に行う必要がある。
【０００３】
そこで、消防ホースを緊急時に支障なく使用することができるように、設置後一定期間が経過した消防ホースは加圧検査を行い水漏れの有無を調べることが望ましい。しかし、消防ホースは１本の長さが数十メートルと長いためにホース全体の加圧検査を行うには広い場所が必要であり、かつ検査に水を使用した場合には検査後にホースを乾燥させてから収納しなければならない。
【０００４】
一方、消防ホースでは、消火栓や放水ノズル等との結合部分の近傍、つまり消防ホースの結合金具の近傍が、その使用に際して曲げの頻度が高いため、特に劣化が起こりやすい。このことから、ホースと結合金具との接続部分の近傍のみの加圧検査でも消防ホースの劣化の有無を判断するのに十分であるとして、接続部分の近傍に重点をおいた加圧検査が、消防ホース全体の加圧検査に代えて行われることがあった。
【０００５】
また、平成１４年３月１２日消防庁告示第２号および第３号によって、消防ホースの耐圧試験は消防ホースの接続部分約２０ｃｍまでで行うことと定められ、今後、接続部分の近傍に重点をおいた加圧検査が主として行われることとなる。このような接続部分の近傍に限った加圧検査を行うには、接続部分の近傍を局部的に密閉状態にしたのち、結合金具を経由して接続部分の近傍に水圧をかける必要がある。従来は、この接続部分の近傍の密閉状態を、ホースをクランプで挟んで閉塞することで実現していた。
【０００６】
なお、このようなクランプによる局部的な密閉の他に、これまで、加圧検査等のために管路の一部分を密封状態に保つ装置として、鋼管の一部分を密閉するもの（特許文献１参照）およびホースの一部分を密封状態に保つもの（特許文献２参照）が提案されている。
【０００７】
【特許文献１】
特開２０００−６５７０６号公報（第２頁、第１図）
【０００８】
【特許文献２】
特開平１１−３４４４１０号公報（第２−３頁、第１図）
【０００９】
【発明が解決しようとする課題】
しかし、検査に際しては０．７ＭＰａ以上の高い圧力が加えられるので、クランプで挟んだ部分の閉塞状態を維持するためには、強い力で挟む必要がある。そのため、ホースの挟んだ部分がクランプで押しつぶされて傷つくおそれがあった。
【００１０】
なお、特許文献２に記載される方法では、加圧検査時の内圧によりパッキンとホースとがほぼ線状に圧接し密閉状態を保つことができる。しかし、内圧によるパッキンを押し広げようとする力のすべてが、ホースの内周面のパッキンと圧接するわずかなリング状の部分に集中するために、圧接する部分でホースの内周面を傷つけるおそれがある。
【００１１】
本発明は、上述の問題に鑑みてなされたもので、消防ホースを傷つけることなく消防ホースの接続部分の近傍を密閉して、簡便に加圧検査を行うことができる加圧検査装置を提供することを目的とする。
【００１２】
【課題を解決するための手段】
本発明にかかる装置は、加圧水を用いてホース２１の加圧検査を行うための加圧検査装置１であって、膨張部材１１で覆われる膨張室１６が端部１８に設けられて前記膨張室１６と連通する挿入管１７と、前記挿入管１７と一体的に設けられ、前記挿入管１７に加圧水を供給する第１給水ポートＰＴ１と前記ホースに加圧水を供給する第２給水ポートＰＴ２とが設けられた給水部４と、前記ホース２１に前記挿入管１７の前記膨張室１６を含む部分を挿入した状態で前記ホース２１に取り付けた結合金具５に結合するための、前記給水部４と一体的に設けられた結合部３と、を有する。
【００１３】
好ましくは、前記ホース２１の外径を略内径とし前記ホース２１の外周を覆う保護帯２５を有してなる。
本発明において用いる加圧水は、水、水に添加剤を加えたもの、その他の種々の液体であってよい。
【００１４】
【発明の実施の形態】
図１は本発明にかかる実施形態である加圧検査装置１の正面断面図、図２は加圧検査装置１に消防ホース６を接続して加圧検査を行う場合の正面断面図、図３は加圧検査装置１に用いる膨張部材１１を半分にカットした状態の斜視図、図４は加圧検査装置１の保護帯２５の正面図、図５は図４に示す加圧検査装置１の保護帯２５におけるＡＡ断面の左側面図、図６は加圧検査装置１の図５とは異なる実施形態における保護帯２５Ｂの正面図である。
【００１５】
ここで、以下に記載する「消防ホース」とは、消防用ゴム引きホース等の消防用ホースの両端に、消火栓の給水口、他の消防ホースまたは放水ノズルと接続するため結合金具が取り付けられたものをいう。「ホース」とは、消防ホースのうち結合金具を含まないホースの部分をいう。「接続部分」とは、消防ホースにおける結合金具とホースとの接続部分をいう。
【００１６】
以下、図１および図２を参照して加圧検査装置１について説明する。
加圧検査装置１は、ホース２１の内径一杯に広がり接続部分の近傍（加圧室）１０を密閉する機能を果たす膨張部２、膨張部２を押し広げるための加圧水（１次加圧水）を送り込む挿入管１７、検査を行う消防ホース６を加圧検査装置１に接続するための雌結合金具３、および、挿入管１７に１次加圧水を供給しかつ消防ホース６の接続部分の近傍１０に検査用の加圧水（２次加圧水）を供給する給水部４からなる。
【００１７】
また、保護帯２５は、密閉操作時の膨張部２とホース２１の内周面２２との間の良好なシール性を確保するとともに、膨張部２の高い水圧によってホース２１が破損するのを防止する目的で、ホース２１の外周に取り付けられる。
【００１８】
膨張部２は、挿入管１７の端部１８、端部１８に固定された膨張部材１１、端部１８に膨張部材１１を固定するための止め具１２ａ，１２ｂ、座金１５，１５、支持体１３ａ，１３ｂ、膨張部材１１が固定された挿入管１７の端部１８の外周面と膨張部材１１とで囲まれた膨張室１６、および挿入管１７の内部と膨張室１６とを連通する穴１４からなる。
【００１９】
挿入管１７には、その端部１８に上に述べた膨張部２が設けられる。消防ホース６の雄結合金具５を雌結合金具３に取り付けたときに、その消防ホース６の内部に挿入管１７が挿入される。そのときに膨張部２が雄結合金具５よりも奥のホース２１に達するように、挿入管１７の長さが設定される。
【００２０】
挿入管１７の端部１８の外周には、軸方向に沿って適度な間隔、たとえば３０ｍｍの間隔で、軸に対して直角方向に突出する円形つば状の支持体１３ａ，１３ｂが設けられている。挿入管１７の外周面には、その先端から先端側の支持体１３ｂにかけて雄ねじが切られており、この雄ねじに螺合するフランジ付き袋ナットである止め具１２ｂにより、挿入管１７の先端の開口部が閉じられる。挿入管１７の外周面には、他方の支持体１３ａから給水部４の方向に向かう位置にも雄ねじが切られており、この雄ねじにフランジ付きナットである止め具１２ａが螺合される。各支持体１３ａおよび１３ｂと各止め具１２ａおよび１２ｂとの間には、後述する膨張部材１１の端縁部１１ｂ，１１ｃ（図１における挿入管１７の軸に垂直な部分、図３参照）が、座金１５，１５を介して挟み込まれて固定される。
【００２１】
挿入管１７、止め具１２ａ，１２ｂ、支持体１３ａ，１３ｂおよび各座金１５の材料として、炭素鋼、ステンレス、青銅合金またはアルミニウム合金等が用いられる。
【００２２】
膨張部材１１は、図３に示すように外観は樽形で、ホース２１の内周面２２に圧接するシール面１１ａの中央部分が太鼓の胴のように膨らんだ形状となっている。つまり、膨張部材１１は、１次加圧水による膨張部材１１の内周面２２の方向への膨張に対する抵抗を弱めて内周面２２と圧接する力を減少させないように、また、内周面２２とより広い面積で圧接するように、その形状寸法が選択されている。膨張部材１１の材料として、引っ張り強さの大きなゴムが適する。耐薬品性を必要としないことから、天然ゴム、ブタジエンゴム等の汎用ゴムを使用することができる。また、伸びの小さい合成樹脂等を膨張部材１１に使用する場合には、伸びの不足を補うために内周面２２に接するシール面１１ａの円周長さを十分に大きくする等の配慮をして対応することができる。
【００２３】
膨張部材１１は、上に述べたように、止め具１２ａ，１２ｂおよび座金１５によって、挿入管１７の端部１８に取り付けられる。取り付けに際しては、止め具１２ａ，１２ｂをそれぞれゆるめて支持体１３ａ、１３ｂとそれぞれの座金１５との間を広げ、それらの間に膨張部材１１の端縁部１１ｂ，１１ｃを挿入したのち、止め具１２ａ，１２ｂを締めつける。
【００２４】
支持体１３ａ，１３ｂは、その円形つば状の外周面の角が膨張部材１１を傷つけることのないように、角が面取りされアール状に加工されている。さらに、円形つば状の外周面を柔らかい樹脂等でコーティングしてもよい。
【００２５】
穴１４は、膨張室１６に１次加圧水を送り込むために設けられる。図１に示す加圧検査装置１では円形の穴１４が１つ設けられているが、穴１４の形状は、多角形としてもスリットのように細長くしてもよく、また、穴１４の数を２以上としてもよい。穴１４の寸法は、挿入管１７の内部と膨張室１６との間で圧力差が生じない程度の総断面積となるように設定すればよい。
【００２６】
図２に示すように、膨張部２は消防ホース６の内部に挿入され、１次加圧水による膨張によって接続部分の近傍１０を密閉する。すなわち、挿入管１７に供給された１次加圧水が穴１４を経て膨張室１６に流入し、この１次加圧水の水圧で膨張部材１１が押し広げられホース２１の内周面２２に圧接する。その結果、膨張部材１１が消防ホース６の接続部分から前記圧接する部分までの間を消防ホース６の他の部分から遮断し、接続部分の近傍１０の密閉状態を作り出す。
【００２７】
膨張部材１１は、その自由状態における外形が小さく、かつ変形も容易であるので、雄結合金具５の内径がホース２１の内径よりも小さい場合であっても、膨張部２を雄結合金具５からホース２１まで挿入することができ、接続部分の近傍１０の密閉状態を簡便につくりだすことができる。
【００２８】
図１および図２に示す雌結合金具３は、消防ホース等に一般的に用いられる町野式結合金具の受け口である。雌結合金具３は、その外周面に設けられた雄ねじが給水部４に設けられた雌ねじに螺合することによって、給水部４に接続される。そのため、加圧検査の対象となる消防ホース６の結合金具５が受け口である場合にはこれと結合可能な差し口の結合金具に、消防ホース６の結合金具５がねじ式結合金具の場合にはそれと結合可能なねじ式の結合金具に、それぞれ容易に交換することができる。
【００２９】
給水部４は、冶具本体部４１、連結部４２、および接続部４３などからなる。冶具本体部４１は、底板部４１ａと側板部４１ｂとからなる有底円筒状を呈する。連結部４２は、円筒状であって、側板部４１ｂよりも外径が小さく、側板部４１ｂに連続して設けられる。連結部４２の内周面には雌ねじが設けられ、これに上に述べた雌結合金具３が螺合する。接続部４３は、円柱状であって、底板部４１ａの中央から突出するように設けられる。底板部４１ａには、１次加圧水を取り入れる第１給水ポートＰＴ１、および２次加圧水を取り入れる第２給水ポートＰＴ２が設けられる。第１給水ポートＰＴ１は、接続部４３を貫通する。また、接続部４３には雌ねじ４４が設けられ、これに上に述べた挿入管１７が螺合している。第１給水ポートＰＴ１および第２給水ポートＰＴ２には、管路との着脱をワンタッチで可能とするためのカップリング４５，４６がそれぞれねじ込まれている。
【００３０】
給水部４は、例えば金属材料を用いて鋳造し機械加工することによって一体に製作することが可能である。また、別々に製作した複数の部品を互いに連結して一体化することにより製作することも可能である。カップリング４５，４６によって、加圧水源との迅速な接続が可能である。しかし、カップリング４５，４６を省略して第１給水ポートＰＴ１および第２給水ポートＰＴ２に直接に配管接続してもよい。
【００３１】
図４に示すように、保護帯２５は、膨張部２の挿入された位置に対応して、ホース２１の外周を覆うように取り付けられる。そのため、保護帯２５は、図５に示すように丸く塑性変形され、取り付けたときの内径がホース２１の外径と略等しくなるように形成されている。保護帯２５は、その両端部にフック２６が設けられ、ホース２１を覆ったのちフック２６の部分を互いに咬み合わせることでホース２１に固定される。保護帯２５に使用される材料の引っ張り強度およびフック２６の咬み合わせの強度は、１次加圧水の圧力に十分耐えられるものである。
【００３２】
保護帯２５は、加圧検査時に膨張部材１１によりホース２１の内周面２２が押し広げられて破損に至るのを防止し、同時に、内周面２２を押し広げようとする力を膨張部材１１と内周面２２との圧接に振り向けてシール機能を高める働きをする。このように、保護帯２５を用いることでホース２１の耐圧以上に１次加圧水の圧力を高めることができ、接続部分の近傍１０の密閉性をより完全なものとすることができる。
【００３３】
また、図６に示すような２つ割の保護帯２５Ｂを用いることもできる。２つ割の保護帯２５Ｂは、各半割同士が一方の端に設けた蝶番２７Ｂで接続されており、蝶番２７Ｂの部分で回転させてそれぞれ相対する半割の他方の端を大きく開くことができるようになっている。保護帯２５Ｂの内側にホース２１Ｂを挟ん両端を閉じたのちに、両端に設けたつば同士をボルト２８Ｂと蝶ナット２９Ｂとにより固定する。
【００３４】
保護帯２５，２５Ｂの材料には、炭素鋼、鋳鉄およびステンレス等が使用されるが、引っ張り強度の大きなエンジニアリングプラスチック等の非金属材料を使用してもよい。
【００３５】
加圧検査装置１は、いずれの向きにも設置することができる。しかし、検査対象部分の空気抜きを必要とする場合には、膨張部２を上に鉛直に設置するのが好ましい。空気抜きを他の方法で行う場合には、その方法に応じた向きとすればよい。特に空気抜きを考慮しない場合には、どのような向きでもよい。
【００３６】
次に、図１に示す加圧検査装置１を用いて消防ホース６の加圧検査を行う方法について、図２を参照しながら説明する。
はじめに、固定された加圧検査装置１の膨張部２を、消防ホース６の雄結合金具５からホース２１の内部に挿入する。この作業で、膨張部材１１の外周が大きいために膨張部２を雄結合金具５に挿入しにくい場合には、膨張部材１１を挿入管１７の方向に押し込み、挿入時に雄結合金具５に当たる部分を極力減少させて、雄結合金具５に挿入する。
【００３７】
膨張部２を挿入したのち、消防ホース６の雄結合金具５を加圧検査装置１の雌結合金具３に押し込み結合する。このとき、雄結合金具５の係止面５１に雌結合金具３のつめ３１の先端部分が係止されるカチッという結合する際の音を確認する。そして、消防ホース６を引っ張るなどして雄結合金具５が雌結合金具３に確実に結合されているのを確認する。
【００３８】
そののち、膨張部材１１の存在する位置に対応するホース２１の外周に保護帯２５を取り付ける。これにより、膨張部材１１が押し広げられて内周面２２と圧接したときに、ホース２１がそれ以上拡がらないようにバックアップされ、ホース２１に過大な張力が加わることが防止される。なお、加圧前のホース２１は容易に変形するので、保護帯２５のフック２６の部分を互いに容易に咬み合わせることができる。
【００３９】
つづいて、第１給水ポートＰＴ１から１次加圧水を加圧検査装置１に供給する。１次加圧水の供給圧力は、検査圧力すなわち２次加圧水の検査時の圧力より０．３ＭＰａまたはそれ以上高い値である。なお、検査圧力は消防ホース６の径により異なっており、呼称４０Ａでは０．７ＭＰａ、呼称５０Ａおよび６５Ａでは０．９〜１．６ＭＰａである。したがって、たとえば、呼称４０Ａの消防ホース６を検査する場合には、１次加圧水の供給圧力を１ＭＰａ以上にして第１給水ポートＰＴ１に供給する。
【００４０】
１次加圧水は、挿入管１７を経由して穴１４から膨張室１６に流入し、膨張部材１１を押し広げてホース２１の内周面２２に圧接させる。膨張室１６の１次加圧水の圧力が前述した所定圧力に達したのち、１次加圧水の供給を弁などによって停止する。膨張室１６および挿入管１７の中の１次加圧水は、密閉状態となって所定圧力を保つ。膨張部材１１が圧接する部分のホース２１の外周面には保護帯２５が設けられており、これによりホース２１の変形が防止されて内周面２２と膨張部材１１との間の圧接力を強め、消防ホース６の接続部分の近傍１０の高い密閉性を実現する。
【００４１】
以上のようにして消防ホース６の接続部分の近傍１０の密閉性を確保したのち、第２給水ポートＰＴ２より２次加圧水を消防ホース６の接続部分の近傍１０に供給する。２次加圧水の到達圧力は前述した検査圧力であり、本実施形態では０．７ＭＰａに調整されている。消防ホース６の接続部分の近傍１０の２次加圧水の圧力が検査圧力に達したのち、２次加圧水の供給を弁などによって停止し、２次加圧水を消防ホース６の接続部分の近傍１０に検査圧力のままで密閉する。
【００４２】
加圧検査は、消防ホース６の接続部分の近傍１０に２次加圧水を密閉した状態で所定時間、たとえば５分間放置し、密閉直後と５分後における密閉部分の２次加圧水の圧力を比較し、判定基準に照らして消防ホース６の良否または耐圧性能を判定する。
【００４３】
加圧検査終了後は、２次加圧水、１次加圧水の順に圧力を開放し、そののち、例えばカップリング４５，４６への連結を取り外して、消防ホース６の内部と給水部４の水抜きを行う。水抜き後、雄結合金具５の解除リング５２を雌結合金具３の方向に押し込み、つめ３１の先端部分の係止面５１への係止を解除する。
【００４４】
最後に、雌結合金具３から雄結合金具５を分離し、加圧検査装置１の膨張部２を消防ホース６から抜き出す。
加圧検査装置１は、膨張部材１１とホース２１の内周面２２とが幅を有する円環状の広い面で圧接するために、ホース２１のごく狭い部分に強い力が集中的に加わるということがないため、ホース２１の内周面２２を傷つけるおそれがない。
【００４５】
上に述べた検査方法では、密閉部分の圧力の変化を観察することによって、漏れの有無・程度を判断する。また、圧力の変化とともに、ホース２１からの水の漏れの有無、または漏れの状態を観察する。このような検査は、加圧室１０に空気が残っていない方が種々の面で好ましいが、空気が残っていた場合でも可能である。空気抜きを行って消防ホース６の接続部分の近傍１０を２次加圧水で充満させてもよい。空気抜きを行う場合には、膨張部２を上にし給水部４を下にして加圧検査装置１を設置するのがその作業性の面から好ましい。
【００４６】
空気抜きの作業は、消防ホース６の接続部分の近傍１０を密閉する前に、加圧していない２次加圧水を第２給水ポートＰＴ２からゆっくりと消防ホース６の接続部分の近傍１０に供給し、この部分の空気を消防ホース６の接続部分の近傍１０から追い出すことにより行えばよい。つまり、例えば第２給水ポートＰＴ２に連通する液面計を用いて液面の高さを観察し、消防ホース６の内部の液面が上昇して膨張部２の位置よりも高くなったことを確認して、第２給水ポートＰＴ２からの２次加圧水の供給を停止する。
【００４７】
図７は、膨張部２の他の実施形態を示す正面断面図である。
膨張部材１１Ｃには、汎用ゴムでつくられたチューブを支持体１３Ｃａ，１３Ｃｂに取り付けるのに適する長さに切断したものを用いる。各支持体１３Ｃａ，１３Ｃｂは、挿入管１７Ｃの軸方向に垂直な円板状部と、円板状部に連続し挿入管１７Ｃよりも大きな径をもつ円筒状部とからなる。膨張部材１１Ｃは、その両端部が、支持体１３Ｃａ，１３Ｃｂにワイヤなどで縛ることによって強固に固定される。
【００４８】
膨張部材１１Ｃは、支持体１３Ｃａ，１３Ｃｂに固定される部分よりも中央部分の肉厚を薄くし、１次加圧水によって押し広がり易くしておいてもよい。そうすると、ホース２１Ｃの内周面２２Ｃにより圧接し易くなる。また、膨張部材１１Ｃは、全長に渡り均一な厚みとすることも、また、一部分を厚くすることもできる。支持体１３Ｃａ，１３Ｃｂに固定される膨張部材１１Ｃの部分がワイヤにより傷つけられるのを防止するため、膨張部材１１Ｃとワイヤとの間にリング状の保護具を設けてもよい。
【００４９】
図８は、略球形を呈するゴムからなる膨張部材１１Ｄを用いて形成した膨張部２Ｄの正面断面図である。
膨張部材１１Ｄは、挿入管１７Ｄの端部１８Ｄに設けられた１つの支持体１３Ｄに、フランジ付きナットである止め具１２Ｄと座金１５Ｄとによって取り付けられる。挿入管１７Ｄの先端は、膨張部材１１Ｄで形成される膨張室１６Ｄに１次加圧水を送り込めるように、膨張室１６Ｄに対して開口部（穴）１４Ｄを有している。膨張部材１１Ｄの各部の肉厚を適当に設定することができる。また、膨張部材１１Ｄの先端側（開口部１４Ｄと反対側）に延びるのを防止するためのストッパーの役割を果たす部材を設けてもよい。
【００５０】
図９は、支持体１３Ｅが挿入管１７Ｅと分離している場合の膨張部２Ｅの実施形態を示す正面断面図である。
支持体１３Ｅは、両端面が円形の平端板で塞がれた円筒状を呈しており、その両平端板の中心部分に挿入管１７Ｅの外径にほぼ等しい貫通穴が設けられている。円筒の周面には、多数の通水孔１９Ｅが設けられている。膨張部材１１Ｅは、支持体１３Ｅより長さが長くかつ支持体１３Ｅの外径よりも内径がやや小さいゴムのチューブからなり、支持体１３Ｅに膨張部材１１Ｅが覆いかぶさるようにして取り付けられている。支持体１３Ｅの外周部分で引っ張られた膨張部材１１Ｅが、支持体１３Ｅの両平端板の部分ではもとの寸法に戻ろうとするので、支持体１３Ｅの両平端板の部分は、自然に膨張部材１１Ｅの端部で覆われる。膨張部材１１Ｅは、支持体１３Ｅの両平端板を覆う端部において、フランジ付き袋ナットである止め具１２Ｅａ、フランジ付きナットである止め具１２Ｅｂ、２つの座金１５Ｅにより支持体１３Ｅに固定される。
【００５１】
膨張部２Ｅは、支持体１３Ｅの長さに応じて止め具１２Ｅａと止め具１２Ｅｂとの間隔を調整することができるように、挿入管１７Ｅの外周には、膨張部２Ｅを含むその前後の部分で雄ねじが切られている。また、挿入管１７Ｅの膨張部２Ｅを形成する部分には、１次加圧水を膨張室１６Ｅに送り込むためのスリット状の穴１４Ｅが、周方向に等間隔で４カ所設けられている。
【００５２】
本実施形態において使用する膨張部材１１Ｅを、軸方向の中央部分が太鼓の胴のように膨らんだ形状とすることができる。支持体１３Ｅの通水孔１９Ｅの形状および数は特に本実施形態に限定するものではなく、また、支持体１３Ｅを燒結金属で形成することもできる。一方の止め具１２Ｅａを挿入管１７Ｅに固定的に設け、他方の止め具１２Ｅｂによって支持体１３Ｅを介して締めつけるようにしてもよい。
【００５３】
図１０は、消防ホースの加圧検査に用いる、加圧検査装置１および加圧水源を一体化した可搬式一体型検査装置９の回路図である。消防ホースは、製造事業所等の消火栓に多く常備されており、消防ホースを外部の検査機関に持ち込み検査するよりも、事業所の現場で加圧検査を行う方が簡便であるため、加圧検査装置１を可搬式の一体型とする方が便利である。
【００５４】
可搬式一体型検査装置９は、加圧検査装置１ａ〜１ｄ、給水槽３５、１次加圧水および２次加圧水を加圧検査装置１に供給するための手動ポンプ３６、加圧検査装置１ａ〜１ｄへの１次加圧水の流路を開閉する弁３７ａ〜３７ｄ、加圧検査装置１ａ〜１ｄへの２次加圧水の流路を開閉する弁３８ａ〜３８ｄ、１次加圧水の圧力を管理するための圧力計３９ａ〜３９ｄ、２次加圧水の圧力を管理するための圧力計４０ａ〜４０ｄ、およびこれらが設けられているキャスター付き架台３４とからなっている。
【００５５】
この可搬式一体型検査装置９を用いる加圧検査は、以下のようにして行う。
全ての弁３７ａ〜３７ｄ，３８ａ〜３８ｄが閉じられている状態で、加圧検査装置１ａ〜１ｄに消防ホース６を結合する。
【００５６】
加圧検査装置１ａに消防ホース６が結合されている場合には、先ず、弁３７ａを開いて手動ポンプ３６を操作し、加圧検査装置１ａに１次加圧水を供給する。圧力計３９ａにより１次加圧水の圧力が所定圧力、たとえば１ＭＰａになったことを確認したのち、弁３７ａを閉じる。続いて弁３８ａを開き、手動ポンプ３６を操作して加圧検査装置１ａに２次加圧水を供給する。圧力計４０ａの圧力が検査圧力、たとえば、０．７ＭＰａに達したら弁３８ａを閉じる。これらの作業によって、加圧検査装置１ａに結合された消防ホース６の接続部分の近傍１０が密閉され検査圧力となる。弁３８ａを閉じたときから、加圧検査装置１ａは検査状態に入る。
【００５７】
他の加圧検査装置１ｂ〜１ｄにも消防ホース６が結合されている場合には、順次この作業を行い、加圧検査装置１ａ〜１ｄに結合された全ての消防ホース６に対して加圧検査を行う。
【００５８】
加圧検査は、密閉された２次加圧水の圧力の変化を、検査時間である５分間に渡って圧力計４０ａ〜４０ｄで観察する。２次加圧水の圧力の変化がなければ、漏れのないものと判断する。
【００５９】
図１１には、他の実施形態である可搬式一体型検査装置９Ｂの回路図を示す。
この可搬式一体型検査装置９Ｂは、加圧検査装置１、給水槽３５Ｂ、１次加圧水および２次加圧水の加圧源である２台のギヤポンプ３６Ｂ，３７Ｂ、１次加圧水と２次加圧水の圧力を調整するための圧力調整弁３８Ｂ，３９Ｂ、および液面計４０Ｂとからなっている。
【００６０】
可搬式一体型検査装置９Ｂによる加圧検査は、消防ホース６の接続部分の近傍１０から著しい漏水等がない場合を異常なしと判断するものである。
漏水等の有無または漏水の程度を判断基準とすることから、消防ホース６の接続部分の近傍１０を２次加圧水で満たすための空気抜きを行うのが好ましい。そのために、この可搬式一体型検査装置９Ｂには、加圧試験装置１が膨張部２を上部に給水部４が下部に位置するようにして設けられ、また、消防ホース６の接続部分の近傍１０と連通する液面計４０Ｂが設けられている。
【００６１】
空気抜きは、ギヤポンプ３６Ｂおよび３７Ｂを停止し、弁４７Ｂを開いて、液面計４０Ｂの水位を見ながら消防ホース６の接続部分の近傍１０の液面をゆっくりと上昇させて行う。消防ホース６の内部の２次加圧水の液面が所定の位置に達したら弁４７Ｂを閉じ、ギヤポンプ３７Ｂを作動させて加圧試験装置１に１次加圧水を供給し、消防ホース６の接続部分の近傍１０を密閉する。
【００６２】
加圧試験装置１に供給された１次加圧水が所定圧力であることを確認し、ギヤポンプ３６Ｂを作動させ、２次加圧水の圧力が所定圧力に達したのち、２次加圧水を加圧検査装置１に供給する弁を開き、加圧検査を開始する。加圧検査を行っている間において、ギヤポンプ３６Ｂおよび３７Ｂを作動させておく。なお、加圧検査装置１に供給する１次加圧水および２次加圧水がそれぞれ所定圧力に達したのちに、それぞれの加圧検査装置１への供給弁を閉じることによって１次加圧水および２次加圧水を閉じこめた状態にして加圧検査を行うこともできる。この場合には、加圧検査を行っている間において、ギヤポンプ３６Ｂおよび３７Ｂを停止させることができる。
【００６３】
それぞれの弁に電磁弁を用いることにより、それらの弁、およびギヤポンプ３６Ｂ，３７Ｂを駆動する電動機などを制御することにより、加圧検査を自動で行うことができる。
【００６４】
ここで、加圧水を加圧検査装置１に供給するポンプには、ギヤポンプに代えて他の回転式のポンプその他の種々の形式のポンプを用いてもよい。
消火栓には、通常２本の消防ホースが備え付けられており、また結合金具は消防ホースの両端に設けられているので、可搬式一体型検査装置９，９Ｂには、合計４個の加圧検査装置１が設けられている。したがって、可搬式一体型検査装置９，９Ｂは、１カ所の消火栓に備えられる２本の消防ホースを１度の加圧検査で済ませることができる。
【００６５】
また、加圧検査装置１による消防ホース６の加圧検査では、検査に使用する水の量がわずかであるので、給水槽３５，３５Ｂの容量を小さくすることができ、コンパクトに可搬式一体型検査装置９，９Ｂを形成することができる。
【００６６】
また、可搬式一体型検査装置９，９Ｂを、５以上の加圧検査装置１を有するものとすることもできる。
以上の実施形態において、膨張部材１１，１１Ｃ〜１１Ｅは、上述した膨張部材の機能を有するものであれば、実施形態で記した以外の材料を用いることができる。
【００６７】
挿入管１７，１７Ｃ〜１７Ｅの先端部分の閉塞手段は、止め具または袋ナットによる方法に限られず、溶接により管の先端を塞ぐ等種々の方法を用いることができる。
【００６８】
膨張部材１１，１１Ｃ〜１１Ｅを挿入管１７，１７Ｃ〜１７Ｅに固定し膨張室１６，１６Ｃ〜１６Ｅを形成する方法についても、上述した実施形態に限られず、膨張部材１１，１１Ｃ〜１１Ｅが１次加圧水により押し広げられた状態で検査対象部分を密閉すれば、他の種々の方法を用いることができる。
【００６９】
１次加圧水を挿入管１７，１７Ｃ〜１７Ｅから膨張室１６，１６Ｃ〜１６Ｅに送り込む穴１４，１４Ｃ〜１４Ｅは、その形状、個数、位置についてその機能を果たす限り上述した実施形態以外の形態で設けることができる。
【００７０】
また、挿入管１７，１７Ｃ〜１７Ｅは必ずしも鋼管である必要はなく、樹脂製の耐圧チューブ等の非金属材料を用いることができる。
保護帯２５，２５Ｂの形状およびホース２１，２１Ｃへの取り付け方法は、上記実施形態に限られず種々の方法を用いることができる。
【００７１】
膨張部材１１，１１Ｃ〜１１Ｅの形状、使用する結合金具３の種類、結合金具３と給水部４との一体化方法、第１および第２給水ポートと加圧水源との接続方法等、加圧検査装置１の全体または各部の構成、材質、形状および寸法などは、本発明の趣旨に沿って上述した以外の種々のものとすることができる。
【００７２】
また、本発明は、消防ホースに限らず、他の種々のホースの加圧検査に適用することができる。
【００７３】
【発明の効果】
本発明によると、消防ホースを傷つけることなく、消防ホースの接続部分の近傍を密閉して簡便に加圧検査を行うことができる加圧検査装置を提供することができる。
【図面の簡単な説明】
【図１】本発明にかかる加圧検査装置の正面断面図である。
【図２】本発明にかかる加圧検査装置に消防ホースを接続した場合の正面断面図である。
【図３】本発明にかかる加圧検査装置の膨張部材を半割にした斜視図である。
【図４】本発明にかかる加圧検査装置の保護帯の正面図である。
【図５】図４に示す加圧検査装置の保護帯におけるＡＡ断面の左側面図である。
【図６】本発明にかかる加圧検査装置の保護帯の正面図である。
【図７】本発明にかかる加圧検査装置の膨張部の正面断面図である。
【図８】本発明にかかる加圧検査装置の膨張部の正面断面図である。
【図９】本発明にかかる加圧検査装置の膨張部の正面断面図である。
【図１０】本発明にかかる加圧検査装置を備えた可搬式一体型検査装置の回路図である。
【図１１】本発明にかかる加圧検査装置を備えた可搬式一体型検査装置の回路図である。
【符号の説明】
１  加圧検査装置
３  結合部（雌結合金具）
４  給水部
５  結合金具（雄結合金具）
９，９Ｂ  可搬式一体型検査装置（加圧検査装置）
１１，１１Ｃ〜１１Ｅ  膨張部材
１６，１６Ｃ〜１６Ｅ  膨張室
１７，１７Ｃ〜１７Ｅ  挿入管
１８，１８Ｃ〜１８Ｅ  （挿入管の）端部
２１，２１Ｃ  ホース
２５，２５Ｂ  保護帯
ＰＴ１  第１給水ポート
ＰＴ２  第２給水ポート
【図１】
2004163298.tif 000003
【図２】
2004163298.tif 000004
【図３】
2004163298.tif 000005
【図４】
2004163298.tif 000006
【図５】
2004163298.tif 000007
【図６】
2004163298.tif 000008
【図７】
2004163298.tif 000009
【図８】
2004163298.tif 000010
【図９】
2004163298.tif 000011
【図１０】
2004163298.tif 000012
【図１１】
2004163298.tif 000013